【手続補正書】
【提出日】平成18年12月22日(2006.12.22)
【手続補正１】
【補正対象書類名】特許請求の範囲
【補正対象項目名】全文
【補正方法】変更
【補正の内容】
【特許請求の範囲】
【請求項１】
マイクロチャネル構造が、マイクロ導管に関連する局所的非湿潤性表面区域に基づく流体機能を持つ親水性マイクロ導管を含む微小流体装置のマイクロチャネル構造の中で二つもしくはそれ以上の液体アリコートを加工するための方法であって、
Ａ)当該加工が、
i)有機溶媒および界面活性要素の中で選択される一つもしくはそれ以上の成分を含有する液体アリコート(アリコートＩ)をマイクロ導管を通して通過させること、ならびに
ii)もう一つの液体アリコート(アリコートＩＩ)をマイクロ導管を通して通過させること：
の工程を含み、そして
Ｂ)当該局所的非湿潤性表面区域がその表面の上にフルオロ基(Ｆ−)を露出するかおよび／もしくは粗面部分を含む
ことを特徴とする、方法。
【請求項２】
当該局所的非湿潤性表面区域がマイクロ導管内に位置することを特徴とする、請求項１に記載の方法。
【請求項３】
当該流体機能が受動性バルブ機能、抗−吸上げ機能、通気口機能、および液体指向機能の中で選択されることを特徴とする、請求項１〜２のいずれか１項に記載の方法。
【請求項４】
請求項１〜３のいずれか１項に記載の方法であって、ａ)アリコートＩおよびアリコートＩＩがマイクロチャネル構造の中でのそれらの輸送および加工の間に利用される共通な流路を有すること、ならびにｂ)局所的非湿潤性表面区域が共通な流路の中で三回以上出現することを特徴とする、方法。
【請求項５】
局所的非湿潤性表面区域がマイクロチャネル構造の中で四回以上出現することを特徴とする、請求項１〜４のいずれか１項に記載の方法。
【請求項６】
当該成分がアリコートＩの≧１％を構成する有機溶媒を含むことを特徴とする、請求項１〜５のいずれか１項に記載の方法。
【請求項７】
当該成分がアリコートＩの≧１０％を構成する有機溶媒を含むことを特徴とする、請求項１〜６のいずれか１項に記載の方法。
【請求項８】
当該成分がアリコートＩの≧０.１μｇ／ｍｌを構成する界面活性成分を含むことを特徴とする、請求項１〜７のいずれか１項に記載の方法。
【請求項９】
当該成分がアリコートＩの≧１０μｇ／ｍｌを構成する界面活性成分を含むことを特徴とする、請求項１〜８のいずれか１項に記載の方法。
【請求項１０】
当該成分がアリコートＩの≧０.１μｇ／ｍｌを構成する生物有機分子を含むことを特徴とする、請求項１〜９のいずれか１項に記載の方法。
【請求項１１】
当該成分がアリコートＩの≧１０μｇ／ｍｌを構成する生物有機分子を含むことを特徴とする、請求項１〜１０のいずれか１項に記載の方法。
【請求項１２】
当該成分がアリコートＩの≧０.１μｇ／ｍｌを構成するペプチド構造を呈示する生物有機分子を含むことを特徴とする、請求項１〜１１のいずれか１項に記載の方法。
【請求項１３】
当該成分がアリコートＩの≧１０μｇ／ｍｌを構成するペプチド構造を呈示する生物有機分子を含むことを特徴とする、請求項１〜１２のいずれか１項に記載の方法。
【請求項１４】
当該成分がアリコートＩの≧０.１μｇ／ｍｌを構成する洗剤を含むことを特徴とする、請求項１〜１３のいずれか１項に記載の方法。
【請求項１５】
当該成分がアリコートＩの≧１μｇ／ｍｌを構成する洗剤を含むことを特徴とする、請求項１〜１４のいずれか１項に記載の方法。
【請求項１６】
アリコートＩが希釈されていないかもしくは希釈されている体液試料であることを特徴とする、請求項１〜１５のいずれか１項に記載の方法。
【請求項１７】
アリコートＩが≦１：１００００に希釈されている体液試料であることを特徴とする、請求項１〜１６のいずれか１項に記載の方法。
【請求項１８】
アリコートＩが≦１：１００に希釈されている体液試料であることを特徴とする、請求項１〜１７のいずれか１項に記載の方法。
【請求項１９】
アリコートＩが血清のもしくは血漿の試料である体液試料であることを特徴とする、請求項１〜１８のいずれか１項に記載の方法。
【請求項２０】
当該加工が、一つもしくはそれ以上のさらに別の液体アリコートを工程(i)の前におよび／もしくは工程(i)および(ii)の間にならびに／または工程(ii)の後でマイクロ導管を通って通過させることを含むことを特徴とする、請求項１〜１９のいずれか１項に記載の方法。
【請求項２１】
アリコートＩ、アリコートＩＩおよび当該一つもしくはそれ以上の液体アリコートの少なくとも一つが、もし存在すれば、加工を行うために必要である反応物を含有することを特徴とする、請求項１〜２０のいずれか１項に記載の方法。
【請求項２２】
当該少なくとも一つのアリコートの二つもしくはそれ以上が当該二つもしくはそれ以上のアリコートの少なくとも二つの中で異なる反応物を含有することを特徴とする、請求項２１に記載の方法。
【請求項２３】
請求項２１〜２２のいずれか１項に記載の方法であって、
Ａ)当該少なくとも一つのアリコートの中の反応物がアナライト、典型的にはアリコートＩもしくはアリコートＩＩであり、そして
Ｂ)加工が分析プロトコルの一部である、
ことを特徴とする方法。
【請求項２４】
請求項１〜２３のいずれか１項に記載の方法であって、
ａ)当該流体機能がバルブ機能であり、そして
ｂ)場合により工程(i)が当該バルブ機能でアリコートＩを一時停止させることを含み、そして
ｃ)工程(ii)が当該バルブ機能でアリコートＩＩを一時停止させることを含む、
ことを特徴とする方法。
【請求項２５】
当該バルブ機能が微小液体保持空間の出口末端にあることを特徴とする、請求項２４に記載の方法。
【請求項２６】
請求項２５に記載の方法であって、
ａ)当該バルブ機能が当該出口末端を備える微小容積計量空間を備える容積規定ユニットの出口末端にあり、そして
ｂ)液体容積をi)バルブ機能でアリコートを一時停止させること、およびii)一時停止する間に微小計量空間の中に保持された液体容積を当該出口末端を通ってマイクロチャネル構造の中で下流に輸送することの結果として計量する、
ことを特徴とする、方法。
【請求項２７】
請求項１〜２６のいずれか１項に記載の方法であって、
当該フルオロ基の一つもしくはそれ以上が当該非湿潤性表面区域上に露出されて、ＣＦ３−、ＣＨＦ２−、ＣＨ２Ｆ−、−ＣＦ２−、もしくは−ＣＨＦ−基(ここで、遊離原子価は炭素原子に結合している)の中で選択される基の部分であることを特徴とする、方法。
【請求項２８】
請求項１〜２７のいずれか１項に記載の方法であって、
当該フルオロ基の一つもしくはそれ以上が当該非湿潤性表面区域上に露出されて、ＣＦ３−、ＣＨＦ２−、ＣＨ２Ｆ−、−ＣＦ２−、もしくは−ＣＨＦ−基(ここで、遊離原子価はｓｐ３−もしくはｓｐ２−混成炭素原子に結合している)の中で選択される基の部分であることを特徴とする、方法。
【請求項２９】
当該フルオロ基の一つもしくはそれ以上が当該非湿潤性表面区域上に露出されて、フルオロポリマーの部分であることを特徴とする、請求項１〜２８のいずれか１項に記載の方法。
【請求項３０】
当該フルオロ基の一つもしくはそれ以上が当該非湿潤性表面区域上に露出されて、当該表面に固着化される、固着可能なフルオロポリマーの部分であることを特徴とする、請求項１〜２９のいずれか１項に記載の方法。
【請求項３１】
当該フルオロ基の一つもしくはそれ以上が当該非湿潤性表面区域上に露出されて、重合されるフルオロ含有アルケンモノマーを含む、フルオロポリマーの部分であることを特徴とする、請求項１〜３０のいずれか１項に記載の方法。
【請求項３２】
当該非湿潤性表面区域が粗面であることを特徴とする、請求項１〜３１のいずれか１項に記載の方法。
【請求項３３】
当該非湿潤性表面区域が０.０１〜１５μｍの範囲内の粗面度をもって粗面であることを特徴とする、請求項１〜３２のいずれか１項に記載の方法。
【請求項３４】
請求項１〜３３のいずれか１項に記載の方法であって、
Ａ)当該微小流体装置が複数の当該マイクロチャネル構造を備え、そして
Ｂ)工程(i)〜(ii)をそれらのマイクロチャネル構造の少なくとも二つもしくはそれ以上の中で本質的に平行して当該少なくとも二つもしくはそれ以上のマイクロチャネル構造のいずれにおいても当該流体機能の故障無しに行う、
ことを特徴とする方法。
【請求項３５】
プラスチックで作成された微小流体装置の中に存在するマイクロチャネル構造の親水性マイクロ導管の中で局所的非湿潤性表面区域の存在に基づく流体機能を製造するための方法であって、当該方法は、それらのそれぞれが、
ａ)当該マイクロ導管の内壁の一部であるか、もしくは
ｂ)当該マイクロ導管の環境大気への開口部における外部表面に関連する、
少なくとも一つの局所的表面区域Ｓの上に非湿潤性を導入することを含み、
方法が
i)当該少なくとも一つの局所的表面区域Ｓを提供すること；
ii)この少なくとも一つの局所的表面区域Ｓを固着化可能なフルオロポリマーと接触させること；および
iii)フルオロポリマーをこの少なくとも一つの局所的表面区域Ｓに固着化すること：
の工程を含むことを特徴とする、方法。
【請求項３６】
当該少なくとも一つのＳの一つもしくはそれ以上が選択肢(ｂ)にしたがっていることを特徴とする、請求項３５に記載の方法。
【請求項３７】
当該少なくとも一つのＳの一つもしくはそれ以上が(ａ)にしたがっていることを特徴とする、請求項３５〜３６のいずれか１項に記載の方法。
【請求項３８】
当該少なくとも一つのＳの一つもしくはそれ以上が(ａ)にしたがっていてかつ湿潤性であることを特徴とする、請求項３５〜３７のいずれか１項に記載の方法。
【請求項３９】
請求項３５〜３８のいずれか１項に記載の方法であって、
i．当該少なくとも一つの局所的表面区域Ｓの一つもしくはそれ以上が第一の基板Ｉの側面(側面Ｉ)に存在する一方で、一つもしくはそれ以上の他の局所的表面区域Ｓが第二の基板ＩＩの側面(側面ＩＩ)の上に存在する；
ii．側面Ｉおよび側面ＩＩの少なくとも一つが、これらの二つの側面が並置されるときに、マイクロ導管が形成されるようにマイクロ構造化される；
iii．側面Ｉおよび側面ＩＩは、お互いに並置されないで提供される；そして
iv．側面Ｉおよび側面ＩＩをお互いに並置して、マイクロ導管を形成する工程(工程iv)であって、
・工程(i)および(ii)の間に、もしくは
・工程(ii)および(iii)の間に、または
・工程(iii)の後で、
マイクロ導管を形成するために側面Ｉおよび側面ＩＩをお互いに並置することを特徴とする、方法。
【請求項４０】
当該流体機能が抗−吸上げ機能、バルブ機能、通気口機能および液体指向機能の中で選択されることを特徴とする、請求項３５〜３９のいずれか１項に記載の方法。
【請求項４１】
請求項３５〜４０のいずれか１項に記載の方法であって、
当該固着化可能なフルオロポリマーがモノマー単位
−ＣＲ１Ｒ２−ＣＲ３Ｒ４−
[式中、Ｒ１〜４はフルオロを含有するそれら(フルオロ含有基)の少なくとも一つと同一であるかもしくは等しく、そして他のものは水素、フルオロ、低級アルキルおよび水素から選択されている]を含むことを特徴とする、方法。
【請求項４２】
請求項４１に記載の方法であって、
当該少なくとも一つのフルオロ含有基の一つもしくはそれ以上が式−ＢｎＲ(式中、ｎは０もしくは１であり、Ｂは酸素および窒素の中で選択されるヘテロ原子を含有する二価の有機基であって、Ｒは、ｎが０であるという条件でフルオロであるか、または一価もしくは二価のポリフッ素化された直鎖の、枝分かれした、もしくは環状のアルキルである)に適合することを特徴とする、方法。
【請求項４３】
Ｒ１〜４の二つが不飽和の炭素原子の一つもしくは両方のいずれかと一緒に環状構造を形成する二価の基を形成することを特徴とする、請求項４０〜４１のいずれか１項に記載の方法。
【請求項４４】
請求項４２〜４３のいずれか１項に記載の方法であって、
当該少なくとも一つのフルオロ含有基の当該一つもしくはそれ以上が式−ＢｎＲ[式中、ｎは１であり、Ｂはエーテル(−Ｏ−)、エステル(−ＣＯＯ−)、アミド(−ＣＯＮＲ'−)、アミン(−ＮＲ''−)(式中、Ｒ'およびＲ''のそれぞれはそれらのそれぞれが１〜１２個のｓｐ３−混成された炭素を有しそして場合によりフルオロを含む低級アルキルの中で選択される)の中で選択される少なくとも一つの二価の基を含む]に適合することを特徴とする、方法。